(57)【特許請求の範囲】
【請求項１】
所定のテープ幅の第１の磁気テープに適用されるディジタル記録フォーマットに対応した記録データを生成する記録データ生成手段と、
上記第１の磁気テープよりテープ幅が広い第２の磁気テープの長手方向に沿って順次斜めに各トラックを形成すると共に、当該各トラックに対して上記ディジタル記録フォーマットにおける少なくとも２トラック分の上記記録データを連続して記録する記録手段と
を具え、
上記記録手段は、
記録時間及び再生信号特性に基づいて設定された所定のトラックピッチで各上記トラックを形成する
ことを特徴とする磁気記録装置。
【請求項２】
上記第１の磁気テープは、上記ディジタル記録フォーマットのディジタル信号からなる上記記録データを記録するための磁気テープであり、
上記第２の磁気テープは、所定のアナログ記録方式に応じたデータフォーマットのアナログ信号を記録するための磁気テープであり、
上記トラックピッチは、上記記録時間に基づいて下限が設定されると共に、上記再生信号特性に基づいて上限が設定された
ことを特徴とする請求項１に記載の磁気記録装置。
【請求項３】
上記第２の磁気テープの走行速度、上記第２の磁気テープの長手方向に対する各上記トラックの傾斜角、上記記録データを記録するための磁気ヘッドが搭載された回転ドラムの回転速度及び上記回転ドラムの１回転に記録するトラック数に基づいて、上記トラックピッチが選定された
ことを特徴とする請求項２に記載の磁気記録装置。
【請求項４】
上記トラックピッチは、 16.34〔μｍ〕でなる
ことを特徴とする請求項３に記載の磁気記録装置。
【請求項５】
所定のテープ幅の第１の磁気テープに適用されるディジタル記録フォーマットに対応した記録データを生成する第１のステップと、
上記第１の磁気テープよりテープ幅が広い第２の磁気テープの長手方向に沿って順次斜めに各トラックを形成すると共に、当該各トラックに対して上記ディジタル記録フォーマットにおける少なくとも２トラック分の上記記録データを連続して記録する第２のステップと
を具え、
上記第２のステップでは、
記録時間及び再生信号特性に基づいて設定された所定のトラックピッチで各上記トラックを形成する
ことを特徴とする磁気記録方法。
【請求項６】
上記第１の磁気テープは、上記ディジタル記録フォーマットのディジタル信号からなる上記記録データを記録するための磁気テープであり、
上記第２の磁気テープは、所定のアナログ記録方式に応じたデータフォーマットのアナログ信号を記録するための磁気テープであり、
上記トラックピッチは、上記記録時間に基づいて下限が設定されると共に、上記再生信号特性に基づいて上限が設定された
ことを特徴とする請求項５に記載の磁気記録方法。
【請求項７】
上記第２の磁気テープの走行速度、上記第２の磁気テープの長手方向に対する各上記トラックの傾斜角、上記記録データを記録するための磁気ヘッドが搭載された回転ドラムの回転速度及び上記回転ドラムの１回転に記録するトラック数に基づいて、上記トラックピッチが選定された
ことを特徴とする請求項６に記載の磁気記録方法。
【請求項８】
上記トラックピッチは、 16.34〔μｍ〕でなる
ことを特徴とする請求項７に記載の磁気記録方法。
【請求項９】
所定のテープ幅の第１の磁気テープに適用されるディジタル記録フォーマットに対応した記録データが記録された上記第１の磁気テープよりテープ幅が広い第２の磁気テープから上記記録データを再生する再生手段
を具え、
上記再生手段は、
上記第２の磁気テープの長手方向に沿って、記録時間及び再生信号特性に基づいて設定された所定のトラックピッチで順次斜めに形成された各トラックに対して、上記ディジタル記録フォーマットにおける少なくとも２トラック分の上記記録データを連続して再生する
ことを特徴とする磁気再生装置。
【請求項１０】
上記第１の磁気テープは、上記ディジタル記録フォーマットのディジタル信号からなる上記記録データを記録するための磁気テープであり、
上記第２の磁気テープは、所定のアナログ記録方式に応じたデータフォーマットのアナログ信号を記録するための磁気テープであり、
上記トラックピッチは、上記記録時間に基づいて下限が設定されると共に、上記再生信号特性に基づいて上限が設定された
ことを特徴とする請求項９に記載の磁気再生装置。
【請求項１１】
上記第２の磁気テープの走行速度、上記第２の磁気テープの長手方向に対する各上記トラックの傾斜角、上記記録データを記録するための磁気ヘッドが搭載された回転ドラムの回転速度及び上記回転ドラムの１回転に記録するトラック数に基づいて、上記トラックピッチが選定された
ことを特徴とする請求項１０に記載の磁気再生装置。
【請求項１２】
上記トラックピッチは、 16.34〔μｍ〕でなる
ことを特徴とする請求項１１に記載の磁気再生装置。
【請求項１３】
所定のテープ幅の第１の磁気テープに適用されるディジタル記録フォーマットに対応した記録データが記録された上記第１の磁気テープよりテープ幅が広い第２の磁気テープから上記記録データを再生する際、
上記第２の磁気テープの長手方向に沿って、記録時間及び再生信号特性に基づいて設定された所定のトラックピッチで順次斜めに形成された各トラックに対して、上記ディジタル記録フォーマットにおける少なくとも２トラック分の上記記録データを連続して再生する
ことを特徴とする磁気再生方法。
【請求項１４】
上記第１の磁気テープは、上記ディジタル記録フォーマットのディジタル信号からなる上記記録データを記録するための磁気テープであり、
上記第２の磁気テープは、所定のアナログ記録方式に応じたデータフォーマットのアナログ信号を記録するための磁気テープであり、
上記トラックピッチは、上記記録時間に基づいて下限が設定されると共に、上記再生信号特性に基づいて上限が設定された
ことを特徴とする請求項１３に記載の磁気再生方法。
【請求項１５】
上記第２の磁気テープの走行速度、上記第２の磁気テープの長手方向に対する各上記トラックの傾斜角、上記記録データを記録するための磁気ヘッドが搭載された回転ドラムの回転速度及び上記回転ドラムの１回転に記録するトラック数に基づいて、上記トラックピッチが選定された
ことを特徴とする請求項１４に記載の磁気再生方法。
【請求項１６】
上記トラックピッチは、 16.34〔μｍ〕でなる
ことを特徴とする請求項１５に記載の磁気再生方法。
【請求項１７】
所定のテープ幅の第１の磁気テープに適用されるディジタル記録フォーマットに対応した記録データが記録された上記第１の磁気テープよりテープ幅が広い第２の磁気テープからなるテープ状記録媒体において、
上記第２の磁気テープの長手方向に沿って、記録時間及び再生信号特性に基づいて設定された所定のトラックピッチで順次斜めにトラックを形成するようにして、上記ディジタル記録フォーマットにおける少なくとも２トラック分の上記記録データが連続して１本のトラックとして記録された
ことを特徴とするテープ状記録媒体。
【請求項１８】
上記第１の磁気テープは、上記ディジタル記録フォーマットのディジタル信号からなる上記記録データを記録するための磁気テープであり、
上記第２の磁気テープは、所定のアナログ記録方式に応じたデータフォーマットのアナログ信号を記録するための磁気テープであり、
上記トラックピッチは、上記記録時間に基づいて下限が設定されると共に、上記再生信号特性に基づいて上限が設定された
ことを特徴とする請求項１７に記載のテープ状記録媒体。
【請求項１９】
上記第２の磁気テープの走行速度、上記第２の磁気テープの長手方向に対する各上記トラックの傾斜角、上記記録データを記録するための磁気ヘッドが搭載された回転ドラムの回転速度及び上記回転ドラムの１回転に記録するトラック数に基づいて、上記トラックピッチが選定された
ことを特徴とする請求項１８に記載のテープ状記録媒体。
【請求項２０】
上記トラックピッチは、 16.34〔μｍ〕でなる
ことを特徴とする請求項１９に記載のテープ状記録媒体。
【発明の詳細な説明】
【０００１】
【発明の属する技術分野】
本発明は磁気記録装置及び方法、磁気再生装置及び方法並びにテープ状記録媒体に関し、例えばカメラ一体型ビデオテープレコーダに適用して好適なものである。
【０００２】
【従来の技術】
従来、ディジタルビデオテープレコーダの記録方式としてディジタルビデオ（ＤＶ：Digital Video ）方式（IEC 61834 helical scan digital video tape cassette recording system using 6.35mm magnetic tape for consumers（525/60,625/50,1125/60and1250/50systems））があり、近年ではこのディジタルビデオ方式に対応したカメラ一体型ビデオテープレコーダや、据え置き型のビデオテープレコーダが登場している。
【０００３】
そしてこのディジタルビデオ方式では、使用する磁気テープ（以下、これをＤＶテープと呼ぶ）のテープ幅が6.35〔mm〕（＝１／４インチ）となっており、例えば従来のアナログビデオテープレコーダの記録方式として広く用いられているアナログ８mm方式（IEC 60843 helical scan video tape cassette recording system using 8mm magnet tape for consumer）で使用する磁気テープ（以下、これを８mmビデオテープと呼ぶ）のテープ幅（８〔mm〕）よりも狭くなっている。
【０００４】
これにも関わらずディジタルビデオ方式では、記録する映像音声信号を圧縮すると共に記録密度を高めているため、高い画質で長時間の記録を行うことができる利点がある。
【０００５】
【発明が解決しようとする課題】
ところでディジタルビデオ方式とアナログ８mm方式との間には互換性がないが、例えばＤＶテープよりも幅広の８mmビデオテープに対してディジタルビデオ方式のデータフォーマットの映像音声信号を記録することができれば、映像音声を高品質で長時間に渡って記録することができるものと考えられる。
【０００６】
そしてこの場合において、このような記録再生を行うビデオテープレコーダを例えば現行のアナログ８mm方式に対応したビデオテープレコーダの生産設備や各種デバイスを流用して構築することができれば、資源を有効に利用しながらこのようなビデオテープレコーダを安価に構築し得るものと考えられる。
【０００７】
本発明は以上の点を考慮してなされたもので、機能性を向上させ得る磁気記録装置及び方法、磁気再生装置及び方法並びにテープ状記録媒体を提案しようとするものである。
【０００８】
【課題を解決するための手段】
かかる課題を解決するため本発明においては、所定のテープ幅の第１の磁気テープに適用されるディジタル記録フォーマットに対応した記録データを生成する記録データ生成手段と、第１の磁気テープよりテープ幅が広い第２の磁気テープの長手方向に沿って順次斜めに各トラックを形成すると共に、当該各トラックに対してディジタル記録フォーマットにおける少なくとも２トラック分の記録データを連続して記録する記録手段とを設け、記録手段は、記録時間及び再生信号特性に基づいて設定された所定のトラックピッチで各トラックを形成するようにした。
【０００９】
この結果この磁気記録装置では、第１の磁気テープに適用されるディジタル記録フォーマットに対応する記録データを、実用上十分なＣ／Ｎ比を確保すると共に長時間に渡って第２の磁気テープに記録することができる。
【００１０】
また本発明においては、所定のテープ幅の第１の磁気テープに適用されるディジタル記録フォーマットに対応した記録データを生成する第１のステップと、第１の磁気テープよりテープ幅が広い第２の磁気テープの長手方向に沿って順次斜めに各トラックを形成すると共に、当該各トラックに対してディジタル記録フォーマットにおける少なくとも２トラック分の記録データを連続して記録する第２のステップとを設け、第２のステップでは、記録時間及び再生信号特性に基づいて設定された所定のトラックピッチで各トラックを形成するようにした。
【００１１】
この結果この磁気記録方法によれば、第１の磁気テープに適用されるディジタル記録フォーマットに対応する記録データを、実用上十分なＣ／Ｎ比を確保すると共に長時間に渡って第２の磁気テープに記録することができる。
【００１２】
さらに本発明においては、所定のテープ幅の第１の磁気テープに適用されるディジタル記録フォーマットに対応した記録データが記録された第１の磁気テープよりテープ幅が広い第２の磁気テープから記録データを再生する再生手段を設け、再生手段は、第２の磁気テープの長手方向に沿って、記録時間及び再生信号特性に基づいて設定された所定のトラックピッチで順次斜めに形成された各トラックに対して、ディジタル記録フォーマットにおける少なくとも２トラック分の記録データを連続して再生するようにした。
【００１３】
この結果この磁気再生装置では、第１の磁気テープに適用されるディジタル記録フォーマットに対応する記録データを、実用上十分なＣ／Ｎ比を確保すると共に長時間に渡って第２の磁気テープから再生することができる。
【００１４】
さらに本発明においては、所定のテープ幅の第１の磁気テープに適用されるディジタル記録フォーマットに対応した記録データが記録された第１の磁気テープよりテープ幅が広い第２の磁気テープから記録データを再生する際、第２の磁気テープの長手方向に沿って、記録時間及び再生信号特性に基づいて設定された所定のトラックピッチで順次斜めに形成された各トラックに対して、ディジタル記録フォーマットにおける少なくとも２トラック分の記録データを連続して再生するようにした。
【００１５】
この結果この磁気再生方法によれば、第１の磁気テープに適用されるディジタル記録フォーマットに対応する記録データを、実用上十分なＣ／Ｎ比を確保すると共に長時間に渡って第２の磁気テープから再生することができる。
【００１６】
さらに本発明においては、所定のテープ幅の第１の磁気テープに適用されるディジタル記録フォーマットに対応した記録データが記録された第１の磁気テープよりテープ幅が広い第２の磁気テープからなるテープ状記録媒体において、第２の磁気テープの長手方向に沿って、記録時間及び再生信号特性に基づいて設定された所定のトラックピッチで順次斜めにトラックを形成するようにして、ディジタル記録フォーマットにおける少なくとも２トラック分の記録データが連続して１本のトラックとして記録されるようにした。
【００１７】
この結果このテープ状記録媒体には、第１の磁気テープに適用されるディジタル記録フォーマットに対応する記録データが、実用上十分なＣ／Ｎ比を確保すると共に長時間に渡って記録され得る。
【００１８】
【発明の実施の形態】
以下図面について、本発明の一実施の形態を詳述する。
【００１９】
（１）本実施の形態による記録方式
以下に本発明を適用した記録方式について現行のアナログ８mm方式及び従来のディジタルビデオ方式と比較しながら説明する。本発明を適用した記録方式は、８mmビデオテープにディジタルビデオ方式のデータフォーマットの映像音声信号を記録する方式であり、以下の説明ではディジタル８mm方式と呼ぶものとする。
【００２０】
まずアナログ８mm方式では、図１に示すように、８mmビデオテープ１に対して直径40〔mm〕の回転ドラム２をＮＴＳＣ方式では1800/1.001〔r.p.m.〕、ＰＡＬ（Phase alfernation by Line ）方式では1500〔r.p.m.〕の回転速度で回転（矢印ａ1 方向）させながら映像音声信号を記録する。
【００２１】
この場合回転ドラム２には、例えばアジマス角の異なる２つの磁気ヘッド３Ａ、３Ｂが180 〔°〕対向した位置に搭載される。このため２つの磁気ヘッド３Ａ、３Ｂが８mmビデオテープ１の走行方向（矢印ｂ1 ）に対して所定角度をもって順次交互に走査し、この結果この図１のように８mmビデオテープ１の長手方向に沿って順次斜めにトラック４が形成される。
【００２２】
そしてアナログ８mm方式では、上述のように１フィールド分で１本のトラック４を形成するようにして映像音声信号を８mmビデオテープ１に記録する。
【００２３】
またディジタルビデオ方式では、図２に示すように、テープ幅が6.35〔mm〕のＤＶテープ５に対して直径21.7〔mm〕の回転ドラム６をＮＴＳＣ方式では9000/1.001〔r.p.m.〕、ＰＡＬ方式では9000〔r.p.m.〕の回転速度で回転（矢印ａ2 方向）させながらＤＶデータを記録する。
【００２４】
この場合においても回転ドラム６には、アジマス角の異なる２つの磁気ヘッド７Ａ、７Ｂが180 〔°〕対向した位置に搭載される。このため２つの磁気ヘッド７Ａ、７ＢがＤＶテープ５の走行方向（矢印ｂ2 ）に対して所定角度をもって順次交互に走査し、この結果この図２のようにＤＶテープ５の長手方向に沿って順次斜めにトラック８が形成される。
【００２５】
そしてディジタルビデオ方式では、一方の磁気ヘッド７Ａにより形成されるトラック８をオッドトラックＯ1 、Ｏ3 、……とし、他方の磁気ヘッド７Ｂにより形成されるトラック８をイーブントラックＥ2 、Ｅ4 、……としたとき、１フレーム分の映像音声信号がＮＴＳＣ方式では５本のオッドトラックＯ1 、Ｏ3 、……と５本のイーブントラックＥ2 、Ｅ4 、……の合計10本のトラックに分割して記録され、ＰＡＬ方式では６本のオッドトラックＯ1 、Ｏ3 、……と６本のイーブントラックＥ2 、Ｅ4 、……の合計12本のトラック８に分割して記録される。
【００２６】
一方本発明を適用したディジタル８mm方式では、図３に示すように、８mmビデオテープ１０に対してアナログ８mm方式と同径（直径40〔mm〕）の回転ドラム１１をＮＴＳＣ方式では4500/1.001〔r.p.m.〕、ＰＡＬ方式では4500〔r.p.m.〕の回転速度で回転（矢印ａ3 ）させながらディジタルビデオ方式のデータフォーマットの映像音声信号を記録する。
【００２７】
この場合回転ドラム１１にはアジマス角の異なる２つの磁気ヘッド１２Ａ、１２Ｂが180 〔°〕対向した位置に設けられる。このため２つの磁気ヘッド１２Ａ、１２Ｂが８mmビデオテープ１０の走行方向（矢印ｂ3 ）に対して所定角度をもって順次交互に走査し、この結果この図３のように８mmビデオテープ１０の長手方向に沿って順次斜めにトラック１３が形成される。
【００２８】
ここでディジタル８mm方式では、８mmビデオテープの１本のトラック１３に対してディジタルビデオ方式における２トラック分のデータをディジタルビデオ方式のデータパターンのまま連続して記録する。すなわちディジタル８mm方式では、ディジタルビデオ方式におけるオッドトラックＯ1 、Ｏ3 、……のデータと、イーブントラックＥ2 、Ｅ4 、……のデータとを組にして、データの内容は変えずに１本のトラック１３として記録する。
【００２９】
例えばディジタル８mm方式では、ディジタルビデオ方式におけるオッドトラックＯ1 のデータとイーブントラックＥ2 のデータを組にして、１本のトラック１３に連続して記録する。そして次のトラック１３にはディジタルビデオ方式におけるオッドトラックＯ3 のデータとイーブントラックＥ4 のデータを組にして連続して記録する。そしてこの後これと同様にしてディジタルビデオ方式における連続する２つのトラック８（図２）のデータを順次組にして１本のトラック１３に連続して記録する。
【００３０】
従ってディジタル８mm方式では、１フレーム分の映像音声信号が８mmビデオテープ１０上にＮＴＳＣ方式では５本のトラック１３に分けて記録され、ＰＡＬ方式では６本のトラック１３に分けて記録される。
【００３１】
なお図４及び図５に、このディジタル８mm方式の具体的な記録フォーマットを示す。
【００３２】
この図４及び図５からも明らかなように、ディジタル８mm方式では、有効ラップ角が 177〔°〕に選定されている。そしてこの有効ラップ角内には、３〔°〕のギャップＩＴＧ（Inter Track Gap ）を挟んで２つのサブトラックSubTr ♯０、SubTr ♯１が設けられる。
【００３３】
このとき各サブトラックSubTr ♯０、SubTr ♯１は、それぞれ回転ドラム１１に対する巻付け角が87〔°〕の範囲に設定され、ディジタルビデオ方式における１トラック分のデータがディジタルビデオ方式のデータフォーマットのまま記録される。この結果有効ラップ角内において、上述のようにディジタルビデオ方式におけるオッドトラックＯ1 、Ｏ3 、……及びイーブントラックＥ2 、Ｅ4 、……のデータがそのまま１トラック分ずつ連続されて記録される。
【００３４】
さらにこのディジタル８mm方式では、回転ドラム１１の回転位相に同期して発生するスイッチングパルスＳＷＰにより、回転ドラム１１に設けられた２つの磁気ヘッドが切り換えられる。
【００３５】
すなわち一方の磁気ヘッド１２Ａ（例えばＡch）による有効ラップ角内のデータの記録が終了した時点でスイッチングパルスＳＷＰが切り換えられ、他方の磁気ヘッド１２Ｂ（例えばＢch）の有効ラップ角内のデータの記録が開始する。
【００３６】
なおこのスイッチングパルスＳＷＰは、回転ドラム１１が 180〔°〕回転する毎に切り換えられる。このため有効ラップ角の前段に 1.5〔°〕のマージンが発生する。
【００３７】
因みに、図６及び図７に本発明を適用したディジタル８mm方式の仕様を、ＮＴＳＣ方式及びＰＡＬ方式に対応させて具体的に示す。比較のため、アナログ８mm方式及び従来のディジタルビデオ方式の各仕様も合わせて示す。
【００３８】
このようにディジタル８mm方式では、８mmビデオテープ１０に対してディジタルビデオ方式における２トラック分のデータをそのままのデータパターンで連続して１トラックとして記録するようにしているため、テープ面積を有効に利用することができ、より高品質の映像を長時間に渡って記録再生することができる。
【００３９】
（２）本実施の形態による磁気ヘッドの構成
ここでこのようなディジタル８mm方式により120 分の８mmビデオテープ１０に60分のディジタルビデオ方式のデータフォーマットの映像音声信号を記録再生し得るようにするために、８mmビデオテープ１０に形成する各トラックのトラックピッチの最適値について考える。
【００４０】
この場合ディジタル８mm方式では、ＮＴＳＣ方式の標準モード（ＳＰモード）のときには、直径40〔mm〕の回転ドラムを4500〔r.p.m 〕の回転速度で回転させながら、１フレーム分の映像音声信号を５本のトラックに分けて記録する。
【００４１】
このときのトラックピッチＴＰは、テープ送り速度をＴs 、回転ドラムの回転速度をＲs 、回転ドラム１回転に記録するトラック数をＮt 、トラック角度をθr 、定数Ｋをπ／180 とすると、次式、
【００４２】
【数１】
0004048460.tif 000002
【００４３】
のように与えられる。
【００４４】
ここでアナログ８mm方式では、ＮＴＳＣ方式の標準モード（ＳＰモード）のときには、直径40〔mm〕の回転ドラムを1800〔r.p.m 〕の回転速度で回転させながら、１フィールドにつき１本のトラックを20.5〔μｍ〕のトラックピッチで順次形成するようにして８mmビデオテープに映像音声信号を記録する。
【００４５】
このためディジタル８mm方式におけるトラックピッチは、テープ送り速度を決定することにより設定される。通常、アナログ８mm方式及びディジタルビデオ方式においては、標準モード（ＳＰモード）のみならず長時間モード（ＬＰモード）も設定可能であり、標準モードの３／２倍の時間で記録再生し得るようになされている。
【００４６】
このためディジタル８mm方式において、長時間モード（ＬＰモード）にしたとき、テープ送り速度を標準モード（ＳＰモード）の２／３倍にすれば、120 分の８mmビデオテープに1.5 時間分のディジタルビデオ方式のデータフォーマットの映像音声信号を記録再生し得ると考えられる。
【００４７】
このとき８mmビデオテープにおける各トラック間のトラックピッチが狭くなると、隣接トラックからのクロストークが大きくなるために、Ｃ／Ｎ比が小さくなる（エラーレートが大きくなる）。かかるトラックピッチと記録再生のＣ／Ｎ特性との関係は図８のように示される。
【００４８】
トラックピッチは、アナログ８mm方式では20.5〔μｍ〕であり、ディジタルビデオ方式では10〔μｍ〕である。図８によると、Ｃ／Ｎ比は大きい程理想的であるが、トラックピッチが所定の広さになるとＣ／Ｎ比は所定値に飽和する。
【００４９】
このためテープ走行速度を長時間モード（すなわち標準モードの２／３倍）にした場合でも、トラックピッチがディジタルビデオ方式における10〔μｍ〕以下にならないように設定する必要がある。
【００５０】
さらに８mmビデオテープにおける各トラックのトラックピッチ（トラック幅に相当）が広くなると、隣接トラックからのクロストークが小さくなる分、８mmビデオテープに記録可能な時間が短くなる。このためテープ記録時間がディジタルビデオ方式における標準モードと同じ60分以下にならないようにする必要がある。
【００５１】
そこで本実施の形態においては、トラックピッチを16.4〔μｍ〕程度に設定することにより、記録再生のＣ／Ｎ比を実用上十分に確保すると共に、ディジタルビデオ方式の標準モードと同じ長時間記録を実現することができる。
【００５２】
実際に（１）式において、テープ送り速度Ｔs を28.69005314 〔mm〕、回転ドラムの回転速度Ｒs を75〔Hz〕（4500〔r.p.m 〕）、回転ドラム１回転に記録するトラック数Ｎt を２、トラック角度θr を4.899897649 とすると、トラックピッチＴＰは、0.0163371 〔mm〕すなわち約 16.34〔μｍ〕となる。
【００５３】
（３）本実施の形態によるビデオテープレコーダの構成
ここで図９は、本発明を適用したカメラ一体型のビデオテープレコーダ２０を示すものである。このビデオテープレコーダ２０では、回転ドラム２１にそれぞれアジマス角の異なる２つの磁気ヘッド２２Ａ、２２Ｂが 180〔°〕対向した位置に搭載されており、これら２つの磁気ヘッド２２Ａ、２２Ｂによって映像音声信号をディジタル８mm方式で８mmビデオテープ２３に記録再生し、かつ８mmビデオテープ２３にアナログ８mm方式で記録された映像音声信号を再生し得るようになされている。
【００５４】
実際上このビデオテープレコーダ２０では、筐体の所定位置に動作モード選択用の操作キー２４が設けられており、当該操作キー２４を操作することよってディジタル８mm方式での記録モード若しくは再生モード、又はアナログ８mm方式での再生モードのいずれかの動作モードを選択できるようになされている。
【００５５】
そしてこのビデオテープレコーダ２０においては、この操作キー２４が操作されることにより１つの動作モードが選択されると、これに応じたモード選択信号Ｓ１がコントロール部２５のモード遷移部２６を介して動作モード指定信号Ｓ２としてディジタル８mm用メカ・サーボコントローラ２７に与えられる。
【００５６】
ディジタル８mm用メカ・サーボコントローラ２７は、供給される動作モード指定信号Ｓ２に基づいて、例えばディジタル８mm方式での記録モードが指定された場合には、モータ制御部２８を介してドラムモータ２９及びキャプスタンモータ３０を制御することにより、回転ドラム２１をＮＴＳＣ方式では4500/1.001〔r.p.m.〕、ＰＡＬ方式では4500〔r.p.m.〕の回転速度で回転させる一方、当該回転ドラム２１にローディングさせた８mmビデオテープ２３をＮＴＳＣ方式の標準モード時には14.348/1.001〔mm/sec〕、長時間（ＬＰ）モード時には 9.590/1.001〔mm/sec〕の走行速度で走行させ、ＰＡＬ方式の標準モード時には14.348〔mm/sec〕、長時間モード時には 9.590〔mm/sec〕の走行速度で走行させる。
【００５７】
またディジタル８mm用メカ・サーボコントローラ２７は、これと共にディジタル８mm用信号処理部３１を制御する。このときディジタル８mm用信号処理部３１には、レンズ系及びＣＣＤ（Charge Coupled Device ）等からなる撮像部３２からアナログ波形の撮像信号Ｓ３が与えられると共に、図示しないマイクロホンから音声入出力端子３３を介してアナログ波形の音声信号Ｓ４が与えられる。
【００５８】
かくしてディジタル８mm用信号処理部３１は、ディジタル８mm用メカ・サーボコントローラ２７の制御のもとに、供給される撮像信号Ｓ３及び音声信号Ｓ４に対してアナログ／ディジタル変換処理、符号化処理、エラー訂正処理及びＡＴＦ（Automatic Track Following ）信号の重畳処理及び変調処理等のディジタルビデオ方式に応じた所定の記録信号処理を順次施し、得られたディジタルビデオ方式のデータフォーマットの映像音声データ（以下、これをＤＶデータと呼ぶ）Ｄ１をヘッドドライバ３４に送出する。
【００５９】
そしてヘッドトライバ３４は、このときディジタル８mm用メカ・サーボコントローラ２７から与えられるスイッチングパルスＳＷＰに基づいて、供給されるＤＶデータＤ１を、磁気ヘッド２２Ａ、２２Ｂが８mmビデオテープ２３上を走査するタイミングでディジタルビデオ方式における２トラック分ずつ各磁気ヘッド２２Ａ、２２Ｂにそれぞれ順次交互に切り換えながら送出する。
【００６０】
この結果このＤＶデータＤ１は、各磁気ヘッド２２Ａ、２２Ｂによってディジタルビデオ方式における２トラック分ずつが連続して１つのトラックとして 16.34〔μｍ〕のトラックピッチで８mmビデオテープ２３上に順次記録される。
【００６１】
このようにしてこのビデオテープレコーダ２０においては、記録モード時、撮像部３２から出力される撮像信号Ｓ３及びマイクロホンから出力される音声信号Ｓ４を図３について上述したディジタル８mm方式で８mmビデオテープ２３に記録し得るようになされている。
【００６２】
一方ディジタル８mmメカ・サーボコントローラ２７は、動作モード指定信号Ｓ２に基づいて、例えばディジタル８mm方式での再生モードが指定された場合には、モータ制御部２８を介してドラムモータ２９及びキャプスタンモータ３０を制御することにより、上述のディジタル８mm方式での記録モード時と同じ回転速度で回転ドラム２１を回転させると共に、ディジタル８mm方式での記録モード時と同じ走行速度で８mmビデオテープ２３を走行させる。
【００６３】
この結果回転ドラム２１が１回転する毎に当該回転ドラム２１に搭載された各磁気ヘッド２２Ａ、２２Ｂによってそれぞれ８mmビデオテープ２３における１トラック分（ディジタルビデオ方式における２トラック分）のＤＶデータＤ１が順次再生され、これがヘッドドライバ３４を介してディジタル８mm用信号処理部３１に与えられる。
【００６４】
そしてディジタル８mm用信号処理部３１は、ディジタル８mm用メカ・サーボコントローラ２７の制御のもとに駆動して、このＤＶデータに対して復調処理、エラー訂正処理、復号処理及びディジタル／アナログ変換処理等のディジタルビデオ方式に応じた所定の再生信号処理を施し、かくして得られた映像信号を再生映像信号Ｓ５として映像入出力端子３５を介して外部に出力する一方、得られた音声信号を再生音声信号Ｓ６として音声入出力端子３３を介して外部に出力する。
【００６５】
またこのときディジタル８mm用信号処理部３１は、ＤＶデータＤ１に重畳されているＡＴＦ信号Ｓ７を分離抽出し、これをディジタル８mm用メカ・サーボコントローラ２７に送出する。そしてディジタル８mm用メカ・サーボコントローラ２７は、このＡＴＦ信号Ｓ７に基づいてモータ制御部２８を介してキャプスタンモータ３０の回転速度を制御するようにしてトラッキング制御する。
【００６６】
このようにしてこのビデオテープレコーダ２０は、ディジタル８mm方式での再生モード時、図３について上述したディジタル８mm方式で８mmビデオテープ２３に記録されたＤＶデータＤ１を再生して外部に出力し得るようになされている。
【００６７】
これに対してディジタル８mm用メカ・サーボコントローラ２７は、動作モード指定信号Ｓ２に基づいて、例えばアナログ８mm方式での再生モードが指定された場合には、これを知らせるモード遷移信号Ｓ８をコントロール部２５を介してアナログ８mm用メカ・サーボコントローラ３６に送出する。
【００６８】
このときアナログ８mm用メカ・サーボコントローラ３６は、モード遷移信号Ｓ８に基づいて、モータ制御部２８を介してドラムモータ２９及びキャプスタンモータ３０を制御することにより、回転ドラム２１をＮＴＳＣ方式では1800/1.001〔r.p.m 〕、ＰＡＬ方式では1800〔r.p.m 〕の回転速度で回転させる一方、８mmビデオテープ２３をＮＴＳＣ方式の標準モード時には14.354〔mm/sec〕、長時間モード時には 7.186〔mm/sec〕の走行速度で走行させ、ＰＡＬ方式の標準モード時には20.051〔mm/sec〕、長時間モード時には10.058〔mm/sec〕の走行速度で走行させる。
【００６９】
この結果回転ドラム２１が１回転する毎に８mmビデオテープ２３にアナログ８mm方式で記録された映像音声信号Ｓ１０が各磁気ヘッド２２Ａ、２２Ｂによってそれぞれ１トラック分ずつ順次再生され、これがヘッドドライバ３４を介してアナログ８mm用信号処理部３７に与えられる。
【００７０】
このときアナログ８mm用信号処理部３７は、アナログ８mmメカ・サーボコントローラ３６の制御のもとに、供給される映像音声信号Ｓ１０に対してアナログ８mm方式に応じた所定の信号処理を施し、かくして得られたアナログ波形の映像信号を再生映像信号Ｓ５として映像入出力端子３５を介して外部に出力すると共に、アナログ波形の音声信号を再生音声信号Ｓ６として音声入出力端子３３を介して外部に出力する。
【００７１】
またこのときアナログ８mm用信号処理部３７は、映像音声信号Ｓ１０に重畳されているＡＴＦ信号Ｓ１１を分離抽出し、これをアナログ８mm用メカ・サーボコントローラ３６に送出する。そしてアナログ８mm用メカ・サーボコントローラ３６は、このＡＴＦ信号Ｓ１１に基づいてモータ制御部２８を介してキャプスタンモータ３０の回転速度を制御するようにしてトラッキング制御する。
【００７２】
このようにしてこのビデオテープレコーダ２０は、アナログ８mm方式での再生モード時、アナログ８mm方式で８mmビデオテープ２３に記録された映像音声信号を再生して外部に出力し得るようになされている。
【００７３】
なおこのビデオテープレコーダ２０の場合、ディジタル８mm方式での再生モード時には、ヘッドドライバ３４の出力がディジタル８mm用メカ・サーボコントローラ２７のアナログ８mm信号検出部３８に与えられる。
【００７４】
そしてこのときアナログ８mm信号検出部３８は、このヘッドドライバ３４の出力を常時監視し、アナログ８mm方式の信号（すなわち映像音声信号Ｓ１０）を検出したときには、これを知らせるアナログ８mm検出信号Ｓ１２をコントロール部２５のモード切替え部３９に送出する。またモード切替え部３９は、アナログ８mm検出信号Ｓ１２が与えられると、これに応じたモード切替え信号Ｓ１３をディジタル８mm用メカ・サーボコントローラ２７に送出する。
【００７５】
さらにディジタル８mm用メカ・サーボコントローラ２７は、モード切替え信号Ｓ１３が与えられると、ディジタル８mm用信号処理部３１の信号処理動作を停止させると共にモータ制御部２８を介してドラムモータ２９及びキャプスタンモータ３０の制御を停止させる一方、モード遷移信号Ｓ８をコントロール部２５を介してアナログ８mm用メカ・サーボコントローラ３６に送出する。
【００７６】
そしてアナログ８mm用メカ・サーボコントローラ３６は、供給されるモード遷移信号Ｓ８に基づいて、モータ制御部２８を介してドラムモータ２９及びキャプスタンモータ３０を制御することによりこれらを上述のアナログ８mm方式での再生モード時と同様に回転させる一方、アナログ８mm用信号処理部３７を制御して上述のアナログ８mm方式での再生モード時と同様の信号処理動作を開始させる。
【００７７】
このようにしてこのビデオテープレコーダ２０においては、ディジタル８mm方式での再生モード時にアナログ８mm方式の信号を再生したときには、動作モードをアナログ８mm方式での再生モードに切り替える。
【００７８】
またこれと同様にして、このビデオテープレコーダ２０では、アナログ８mm方式での再生モード時にはヘッドドライバ３４の出力がアナログ８mm用メカ・サーボコントローラ３６のディジタル８mm信号検出部４０に与えられる。
【００７９】
そしてこのときディジタル８mm信号検出部４０は、このヘッドドライバ３４の出力を常時監視し、ディジタル８mm方式の信号（すなわちＤＶデータＤ１）を検出したときには、これを知らせるディジタル８mm検出信号Ｓ１４をコントロール部２５のモード切替え部３９に送出する。またモード切替え部３９は、ディジタル８mm検出信号Ｓ１４が与えられると、これに応じたモード切替え信号Ｓ１３をディジタル８mm用メカ・サーボコントローラ２７に送出する。
【００８０】
さらにディジタル８mm用メカ・サーボコントローラ２７は、モード切替え信号Ｓ１３が与えられると、モード遷移信号Ｓ８をコントロール部２５を介してアナログ８mm用メカ・サーボコントローラ３６に送出する。
【００８１】
この結果アナログ８mm用メカ・サーボコントローラ３６は、このモード遷移信号Ｓ１３に基づいてアナログ８mm用信号処理部３７を制御することにより信号処理動作を停止させると共に、モータ制御部２８を介したドラムモータ２９及びキャプスタンモータ３０の制御を停止する。
【００８２】
またこのときディジタル８mm用メカ・サーボコントローラ２７は、モータ制御部２８を介してドラムモータ２９及びキャプスタンモータ３０を制御することによりこれらを上述のディジタル８mm方式での再生モード時と同様に回転させる一方、ディジタル８mm用信号処理部３１を制御することにより上述のディジタル８mm方式での再生モード時と同様の信号処理動作を開始させる。
【００８３】
このようにしてこのビデオテープレコーダ２０においては、アナログ８mm方式での再生モード時にディジタル８mm方式の信号を再生したときには、動作モードをディジタル８mm方式での再生モードに切り替えるようになされている。
【００８４】
（４）本実施の形態の動作及び効果
以上の構成において、このビデオテープレコーダ２０では、ディジタル８mm方式での記録モード時、ディジタルビデオ方式のデータフォーマットの映像音声データを回転ドラムに搭載された２つの磁気ヘッド２２Ａ、２２Ｂによって順次交互に８mmビデオテープ２３に１トラック分ずつ（ディジタルビデオ方式における２トラック分ずつ） 16.34〔μｍ〕のトラックピッチで記録する。
【００８５】
従ってこのビデオテープレコーダ２０では、 16.34〔μｍ〕のトラックピッチで映像音声信号を記録する分、記録モード時及び再生モード時におけるＣ／Ｎ比を実用上十分に確保することができると共に、ディジタルビデオ方式の標準モードと同じ時間（60分）だけ８mmビデオテープ２３にディジタル８mm方式でＤＶデータＤ１を記録することができる。
【００８６】
以上の構成によれば、ディジタル８mm方式におけるトラックピッチを 16.34〔μｍ〕に設定するようにしたことにより、８mmビデオテープ２３にＤＶデータＤ１を実用上十分なＣ／Ｎ比を得ると共に高品質の映像音声を長時間に渡って記録することができるビデオテープレコーダ２０を実現することができる。
【００８７】
（５）他の実施の形態
なお上述の実施の形態においては、本発明をアナログ８mm方式及びディジタル８mm方式の信号を記録し得るようになされたカメラ一体型のビデオテープレコーダに適用するようにした場合について述べたが、本発明はこれに限らず、要は、記録時間及び信号特性に基づいて設定した所定のトラックピッチで第２の磁気テープに各トラックを形成するようにして、第１の磁気テープに適用されるディジタル記録フォーマットに対応する記録データを記録するこの他種々の磁気記録装置に広く適用することができる。
【００８８】
この場合、ディジタル記録フォーマットのディジタル信号からなる記録データを記録するための磁気テープであれば、第１の磁気テープとしてはＤＶテープ５以外にも種々の磁気テープを適用しても良く、また所定のアナログ記録方式に応じたデータフォーマットのアナログ信号を記録するための磁気テープであれば、第２の磁気テープとしては８mmビデオテープ２３以外にも種々の磁気テープを適用しても良い。
【００８９】
また上述の実施の形態においては、所定のテープ幅のＤＶテープ（第１の磁気テープ）５に適用されるディジタルビデオ方式のデータフォーマット（ディジタル記録フォーマット）に対応した記録データを生成する記録データ生成手段として、ディジタル８mm用信号処理部３１を適用した場合について述べたが、本発明はこれに限らず、この他種々の記録データ生成手段を適用しても良い。
【００９０】
さらに上述の実施の形態においては、ＤＶテープ５よりもテープ幅が広い８mmビデオテープ（第２の磁気テープ）２３の長手方向に沿って順次斜めに各トラックを生成すると共に、当該各トラックに対してディジタル記録フォーマットにおける少なくとも２トラック分の記録データを連続して記録する記録手段として、ヘッドトライバ３４、磁気ヘッド２２Ａ、２２Ｂ及びディジタル８mm用メカ・サーボコントローラ２７を適用した場合について述べたが、本発明はこれに限らず、要は、記録時間及び信号特性に基づいて設定した所定のトラックピッチで各トラックを形成することができれば、記録手段としてはこの他種々の構成のものを広く適用しても良い。
【００９１】
この場合、記録時間は、ＤＶテープ５に記録可能な時間（60分）以外にもこれ以上の長い時間に設定するようにしても良い。また信号特性は、設定しようとするトラックピッチの広さを２／３倍したときに、ＤＶテープ５に形成される各トラックのトラックピッチ（10〔μｍ〕）以上であると共に、Ｃ／Ｎ比を実用上十分に確保することができれば種々の特性を設定するようにしても良い。
【００９２】
さらに上述の実施の形態においては、ＤＶテープ５に適用されるディジタル記録フォーマットに対応した記録データが記録された当該ＤＶテープ５よりテープ幅が広い８mmビデオテープ２３から記録データを再生する再生手段として、ヘッドトライバ３４、磁気ヘッド２２Ａ、２２Ｂ及びディジタル８mm用信号処理部３１を適用した場合について述べたが、本発明はこれに限らず、要は、記録時間及び再生信号特性に基づいて設定された所定のトラックピッチで形成された各トラックに対して、ディジタル記録フォーマットにおける少なくとも２トラック分の記録データを連続して再生することができれば、再生手段としてはこの他種々の構成のものを広く適用しても良い。
【００９３】
この場合、トラックピッチを 16.34〔μｍ〕に設定するにあたって、記録時間及び再生信号特性を決定する以外にも、磁気ヘッド２２Ａ、２２Ｂのトラック幅、巻線数、ヘッドギャップ幅及びアジマス角等を調整するようにしても良い。
【００９４】
さらに上述の実施の形態においては、上述した（１）式に示すように、８mmビデオテープ２３のテープ送り速度、、８mmビデオテープ２３の長手方向に対する各トラックのトラック角、磁気ヘッド２２Ａ、２２Ｂが搭載された回転ドラム２１の回転速度及び回転ドラム２１の１回転に記録するトラック数に基づいて、トラックピッチ（ 16.34〔μｍ〕）を選定するようにした場合について述べたが、本発明はこれに限らず、記録時間に基づいて下限が設定されると共に、上記再生信号特性に基づいて上限が設定されるようにしてトラックピッチを 16.34〔μｍ〕に選定し得れば、種々の手法を用いてトラックピッチを選定しても良い。
【００９５】
【発明の効果】
上述のように本発明によれば、磁気記録装置において、第１の磁気テープよりテープ幅が広い第２の磁気テープの長手方向に沿って順次斜めに各トラックを形成すると共に、当該各トラックに対してディジタル記録フォーマットにおける少なくとも２トラック分の記録データを連続して記録する記録手段を設け、当該記録手段が記録時間及び再生信号特性に基づいて設定された所定のトラックピッチで各トラックを形成するようにしたことにより、第１の磁気テープに適用されるディジタル記録フォーマットに対応する記録データを、実用上十分なＣ／Ｎ比を確保すると共に長時間に渡って第２の磁気テープに記録することができ、かくして機能性を向上させ得る磁気記録装置を実現できる。
【００９６】
また本発明によれば、磁気記録方法において、第１の磁気テープよりテープ幅が広い第２の磁気テープの長手方向に沿って順次斜めに各トラックを形成すると共に、当該各トラックに対してディジタル記録フォーマットにおける少なくとも２トラック分の記録データを連続して記録する際に、記録時間及び再生信号特性に基づいて設定された所定のトラックピッチで各トラックを形成するようにしたことにより、第１の磁気テープに適用されるディジタル記録フォーマットに対応する記録データを、実用上十分なＣ／Ｎ比を確保すると共に長時間に渡って第２の磁気テープに記録することができ、かくして機能性を向上させ得る磁気記録方法を実現できる。
【００９７】
さらに本発明によれば、磁気再生装置において、所定のテープ幅の第１の磁気テープに適用されるディジタル記録フォーマットに対応した記録データが記録された第１の磁気テープよりテープ幅が広い第２の磁気テープから記録データを再生する再生手段を設け、再生手段が、記録時間及び再生信号特性に基づいて設定された所定のトラックピッチで形成された各トラックに対して、ディジタル記録フォーマットにおける少なくとも２トラック分の記録データを連続して再生するようにしたことにより、第１の磁気テープに適用されるディジタル記録フォーマットに対応する記録データを、実用上十分なＣ／Ｎ比を確保すると共に長時間に渡って第２の磁気テープから再生することができ、かくして機能性を向上させ得る磁気再生装置を実現できる。
【００９８】
さらに本発明によれば、磁気再生方法において、所定のテープ幅の第１の磁気テープに適用されるディジタル記録フォーマットに対応した記録データが記録された第１の磁気テープよりテープ幅が広い第２の磁気テープから記録データを再生する際、記録時間及び再生信号特性に基づいて設定された所定のトラックピッチで形成された各トラックに対して、ディジタル記録フォーマットにおける少なくとも２トラック分の記録データを連続して再生するようにしたことにより、第１の磁気テープに適用されるディジタル記録フォーマットに対応する記録データを、実用上十分なＣ／Ｎ比を確保すると共に長時間に渡って第２の磁気テープから再生することができ、かくして機能性を向上させ得る磁気再生方法を実現できる。
【００９９】
さらに本発明によれば、所定のテープ幅の第１の磁気テープに適用されるディジタル記録フォーマットに対応した記録データが記録された第１の磁気テープよりテープ幅が広い第２の磁気テープからなるテープ状記録媒体において、第２の磁気テープの長手方向に沿って、記録時間及び再生信号特性に基づいて設定された所定のトラックピッチで順次斜めにトラックを形成するようにして、ディジタル記録フォーマットにおける少なくとも２トラック分の記録データが連続して１本のトラックとして記録されるようにしたことにより、第１の磁気テープに適用されるディジタル記録フォーマットに対応する記録データが、実用上十分なＣ／Ｎ比を確保すると共に長時間に渡って記録され、かくして機能性を向上させ得るテープ状記録媒体を実現できる。
【図面の簡単な説明】
【図１】アナログ８mm方式における記録フォーマットの説明に供する略線図である。
【図２】従来のディジタルビデオ方式における記録フォーマットの説明に供する略線図である。
【図３】ディジタル８mm方式における記録フォーマットの説明に供する略線図である。
【図４】ディジタル８mm方式の具体的な説明に供する略線図である。
【図５】ディジタル８mm方式の具体的な説明に供する略線図である。
【図６】各種記録方式の仕様を示す図表である。
【図７】各種記録方式の仕様を示す図表である。
【図８】トラックピッチと記録再生のＣ／Ｎ特性との関係を示すグラフである。
【図９】本実施の形態によるビデオテープレコーダの構成を示すブロック図である。
【符号の説明】
１、１０、２３……８mmビデオテープ、１１、２１……回転ドラム、１２Ａ、１２Ｂ、２２Ａ、２２Ｂ……磁気ヘッド、２０……ビデオテープレコーダ、２７……ディジタル８mm用メカ・サーボコントローラ、２９……ドラムモータ、３０……キャプスタンモータ、３１……ディジタル８mm用信号処理部、３６……アナログ８mm用メカ・サーボコントローラ、３７……アナログ８mm用信号処理部、Ｄ１……ＤＶデータ、Ｓ３……撮像信号、Ｓ１０……映像音声信号。
【図１】
0004048460.tif 000003
【図２】
0004048460.tif 000004
【図３】
0004048460.tif 000005
【図４】
0004048460.tif 000006
【図５】
0004048460.tif 000007
【図６】
0004048460.tif 000008
【図７】
0004048460.tif 000009
【図８】
0004048460.tif 000010
【図９】
0004048460.tif 000011